(57)【要約】【課題】全方向に光を照射することが可能であり、連結配置した場合に間引き消灯が可能な直管形ＬＥＤ照明器具を提供すること。【解決手段】直管形ＬＥＤ照明器具（１）は、  長尺状の支持体（１０）と、長尺状支持体の外面の長手方向および周方向にそれぞれ複数個配置されたＬＥＤ素子（２２）と、透光性筒体（５０）と、一対のキャップ（３０，４０）と、電源差込プラグ（６０）と、電源差込プラグに主回路を介して電気的に接続され、一対のキャップの他方に設けられた電源コンセント（７０）と、電源コンセントの孔を覆うように、他方のキャップに対して開閉自在に取り付けられたコンセントカバー（４１）とを備え、複数のＬＥＤ素子は、電源差込プラグと電源コンセントを繋ぐ主回路から分岐する分岐回路に設けられ、分岐回路は、分岐回路の開閉を行うスイッチ（３１）を含む。【選択図】図１
0003215150.tif 000002
【実用新案登録請求の範囲】
【請求項１】
長尺状の支持体と、
前記長尺状支持体の外面の長手方向および周方向にそれぞれ複数個配置されたＬＥＤ素子と、
前記長尺状支持体の回りを取り囲む透光性筒体と、
前記透光性筒体の両端に取り付けられる一対のキャップと、
前記一対のキャップの一方から引き出された電源差込プラグと、
前記電源差込プラグに主回路を介して電気的に接続され、前記一対のキャップの他方に設けられた電源コンセントと、
前記電源コンセントの孔を覆うように、前記他方のキャップに対して開閉自在に取り付けられたコンセントカバーとを備え、
前記複数のＬＥＤ素子は、前記電源差込プラグと前記電源コンセントを繋ぐ主回路から分岐する分岐回路に設けられ、
前記分岐回路は、前記分岐回路の開閉を行うスイッチを含む、直管形ＬＥＤ照明器具。
【請求項２】
前記長尺状支持体は、多角形の横断面形状を有する角柱であり、
前記ＬＥＤ素子は、前記多角柱の各外壁面に配置されている、請求項１に記載の直管形ＬＥＤ照明器具。
【請求項３】
前記スイッチは、前記電源差込プラグが引き出されている前記一方のキャップに取り付けられている、請求項１または２に記載の直管形ＬＥＤ照明器具。
【請求項４】
前記一対のキャップには、吊り下げ用の取付リングが設けられている、請求項１〜３のいずれかに記載の直管形ＬＥＤ照明器具。
【考案の詳細な説明】
【技術分野】
【０００１】
この考案は、直管形ＬＥＤ照明器具に関する。
【背景技術】
【０００２】
従来から知られている直管形の蛍光灯に代わる照明器具として、直管形のＬＥＤ照明器具が知られている。
【０００３】
たとえば、特許文献１には、拡散チューブの内部に長手方向に延びるシャーシが配置され、シャーシに沿って複数のＬＥＤが取り付けられている工事用照明器具が開示されている。工業用照明器具は、その両端に一対のキャップが設けられ、一対のキャップのうちの一方には、電源コードが設けられている。
【０００４】
また、特許文献２には、放熱筒の中にＬＥＤ素子を配置させ、その一端にねじ込み口金が設けられ、その他端にねじ込みソケットが設けられた直管形のＬＥＤ照明装置が開示されている。複数のＬＥＤ照明装置を用意し、ねじ込み口金にねじ込みソケットを挿入していくことで、複数のＬＥＤ照明装置を長手方向に連結することができる。
【先行技術文献】
【特許文献】
【０００５】
【特許文献１】特開２０１２−１８２０６５号公報
【特許文献１】実用新案登録第３１６７６１８号公報
【考案の概要】
【考案が解決しようとする課題】
【０００６】
しかし、特許文献１，２のＬＥＤ照明器具は、光の照射に指向性が生じるため、周囲全体を照明によって照らす必要がある用途には適用することができない。すなわち、特許文献１，２のＬＥＤ照明器具は、複数のＬＥＤが照明基板の表面上に長手方向に配列されている。そのため、光の照射が、照明基板の表面前方の一部領域に偏在するような指向性を有し、それ以外の領域については、輝度が著しく減衰する。
【０００７】
また、特許文献２は、複数のＬＥＤ照明装置を長手方向に連結することが可能であるが、複数のＬＥＤ照明装置は、直列に接続されているため、連結したＬＥＤ照明装置のうちの一つだけを点灯させることはできない。
【０００８】
本考案は、上記のような課題を解決するためになされたものであって、その目的は、全方向に光を照射することが可能であり、連結配置した場合に間引き消灯が可能な直管形ＬＥＤ照明器具を提供することを目的とする。
【課題を解決するための手段】
【０００９】
本考案の一態様に係る直管形ＬＥＤ照明器具は、長尺状の支持体と、長尺状支持体の外面の長手方向および周方向にそれぞれ複数個配置されたＬＥＤ素子と、長尺状支持体の回りを取り囲む透光性筒体と、透光性筒体の両端に取り付けられる一対のキャップと、一対のキャップの一方から引き出された電源差込プラグと、電源差込プラグに主回路を介して電気的に接続され、一対のキャップの他方に設けられた電源コンセントと、電源コンセントの孔を覆うように、他方のキャップに対して開閉自在に取り付けられたコンセントカバーとを備え、複数のＬＥＤ素子は、電源差込プラグと電源コンセントを繋ぐ主回路から分岐する分岐回路に設けられ、分岐回路は、分岐回路の開閉を行うスイッチを含む。
【００１０】
好ましくは、長尺状支持体は、多角形の横断面形状を有する角柱であり、ＬＥＤ素子は、多角柱の各外壁面に配置されている。
【００１１】
好ましくは、スイッチは、電源差込プラグが引き出されている一方のキャップに取り付けられている。
【００１２】
好ましくは、一対のキャップには、吊り下げ用の取付リングが設けられている。
【考案の効果】
【００１３】
本考案によれば、全方向に光を照射することが可能であり、連結配置した場合に間引き消灯が可能な直管形ＬＥＤ照明器具を提供することができる。
【図面の簡単な説明】
【００１４】
【図１】本考案の実施の形態に係る直管形ＬＥＤ照明器具の一例を示す側面図である。
【図２】本考案の実施の形態に係る直管形ＬＥＤ照明器具のキャップを取り外した状態を示す斜視図である。
【図３】本考案の実施の形態に係る直管形ＬＥＤ照明器具の回路図である。
【図４】本考案の実施の形態に係る直管形ＬＥＤ照明器具を連結した状態を示す模式的な側面図である。
【図５】本考案の実施の形態に係る直管形ＬＥＤ照明器具を複数連結した状態を示す模式図である。
【考案を実施するための形態】
【００１５】
本考案の実施の形態について図面を参照しながら詳細に説明する。なお、図中同一または相当部分には同一符号を付してその説明は繰り返さない。
【００１６】
図１，２を参照して、本実施の形態に係る直管形ＬＥＤ照明器具１の概要について説明する。図１において、矢印Ａ１で示す長手方向を左右方向といい、矢印Ａ２で示す方向を上下方向という。
【００１７】
本実施の形態に係る直管形ＬＥＤ照明器具１は、全方位に向けて光の照射が可能な作業灯であり、たとえば工場内や屋外などでの使用に適した高輝度のＬＥＤ照明である。直管形ＬＥＤ照明器具１は、長尺状の支持体１０と、長尺状支持体１０にそれぞれ複数個配置されたＬＥＤ素子２２と、長尺状支持体１０の両端に取り付けられる一対のキャップ３０，４０とを備える。
【００１８】
図２を特に参照して、長尺状支持体１０は、六角形の横断面形状を有する角柱であり、たとえば、アルミ製の筒状部材である。六角柱の形態の長尺状支持体１０は、６つの外壁面１１から形成されており、それぞれの外壁面１１は、長手方向に沿って延びる滑らかな面である。長尺状支持体１０の６つの角部には、ＬＥＤ素子２２が配列される面材２１を挟持する挟持部１２がそれぞれ設けられてもよい。
【００１９】
ＬＥＤ素子２２は、たとえば、長尺状支持体１０の外壁面１１の長手方向に沿って延びる面材２１上に複数配列されている。具体的には、複数のＬＥＤ素子２２は、面材２１の長手方向に沿って、面材２１上に等間隔で一列に配列されている。さらに、ＬＥＤ素子２２が配列されている面材２１は、長尺状支持体１０の挟持部１２間にその上下方向の両端が挟持されている。これにより、ＬＥＤ素子２２は、六角柱の形態の長尺状支持体１０の外壁面１１上に周方向に均等に配列される。その結果、ＬＥＤ素子２２は、長尺状支持体１０の外面の長手方向および周方向にそれぞれ複数個配置される。
【００２０】
上述のように、一対のキャップ３０，４０は、長尺状支持体１０の両端にそれぞれ取り付けられている。長尺状支持体１０の左方端に設けられる左キャップ３０には、電源差込プラグ６０が設けられている。長尺状支持体１０の右方端に設けられる右キャップ４０には、電源コンセント７０が設けられている。また、一対のキャップ３０，４０には、たとえばリングなどの取付部３２，４２がそれぞれ設けられてもよい。図４に示すように、取付部３２，４２は、たとえば、壁１００などに設けられたフック１０２に取り付けるためのものである。これにより、本実施の形態の直管形ＬＥＤ照明器具１を容易に壁１００や天井などに取り付けることができる。
【００２１】
なお、一対のキャップ３０，４０の間には、長尺状支持体１０の回りを取り囲む筒状の透光性筒体５０が装着される。透光性筒体５０は、たとえば、透明樹脂材で形成されており、左キャップ３０から右キャップ４０に亘ってＬＥＤ素子２２を全て覆うようにキャップ３０，４０に取り付けられている。筒状は、円筒状であってもよく、角筒状であってもよい。この透光性筒体５０により、ＬＥＤ素子２２が配置された空間に塵等を混入することを防ぐことができる。
【００２２】
電源差込プラグ６０は、各ＬＥＤ素子２２と電気的に接続されている。また、電源差込プラグ６０は、たとえば、ホルダ６３を含むプラグ本体６１と、プラグ本体６１と分離して設けられるアース端子コード６２とを有する。ホルダ６３の左端には、一対の電源端子刃６４とアースピン６５とが設けられており、ホルダ６３の右端からは、電源ケーブル６６が引き出されている。電源端子刃６４およびアースピン６５は、電源ケーブル６６と電気的に接続されている。電源ケーブル６６と各ＬＥＤ素子２２もまた電気的に接続されている。
【００２３】
電源差込プラグ６０が引き出されているキャップ３０には、スイッチ３１が取り付けられている。スイッチ３１は、電源差込プラグ６０と各ＬＥＤ素子２２とを電気的に接続する回路の開閉を行う。すなわち、スイッチ３１をオンの状態にすることにより、ＬＥＤ素子２２を点灯させたり、スイッチ３１をオフの状態にすることにより、ＬＥＤ素子２２を消灯させたりすることができる。
【００２４】
電源コンセント７０は、電源差込プラグ６０と電気的に接続されている。また、電源コンセント７０は、図示しないが、一対の電源端子刃６４が差し込まれる一対の差込孔と、アースピン６５が差し込まれるアースピン差込孔とを含む。なお、電源コンセント７０の前面には、電源コンセント７０の孔を覆うように設けられるコンセントカバー４１が開閉自在に取り付けられている。電源コンセント７０を使用しない場合には、電源コンセント７０上にコンセントカバーを嵌めることで、電源コンセント７０の差込孔に雨水や塵が入ることを防止することができる。
【００２５】
図３は、本考案の実施の形態に係る直管形ＬＥＤ照明器具の回路図である。図３を参照して、電源差込プラグ６０と電源コンセント７０とを繋ぐ回路は、電気的に接続されている。電源差込プラグ６０と回路基板２３に実装されているＬＥＤ素子２２とを繋ぐ回路は、電気的に接続されている。さらに、電源差込プラグ６０と電源コンセント７０を繋ぐ回路と、電源差込プラグ６０と各ＬＥＤ素子２２とを繋ぐ回路とは、並列の関係で電気的に接続されている。また、電源差込プラグ６０とＬＥＤ素子２２との間には、スイッチ３１が設けられている。これにより、スイッチ３１をオフの状態にして、ＬＥＤ素子２２を消灯したとしても、電源差込プラグ６０と電源コンセント７０とを電気的に接続した状態で維持することができる。
【００２６】
図４，５を参照して、本実施の形態に係る直管形ＬＥＤ照明器具１を複数連結する場合について説明する。図５において、塗りつぶして示す直管形ＬＥＤ照明器具１は、消灯状態を示し、他の直管形ＬＥＤ照明器具１は、点灯状態を示している。
【００２７】
図４を特に参照して、本実施の形態の直管形ＬＥＤ照明器具１を複数用意し、たとえば、壁１００に設けられたコンセント１０１に直管形ＬＥＤ照明器具１の電源差込プラグ６０を差し込む。さらに、電源コンセント７０に、他の直管形ＬＥＤ照明器具１の電源差込プラグ６０を差し込んで、複数の直管形ＬＥＤ照明器具１を長手方向に連結する。電源差込プラグ６０と電源コンセント７０とは、電気的に接続されているため、複数の直管形ＬＥＤ照明器具１を連結させることで、直管形ＬＥＤ照明器具１から隣接する直管形ＬＥＤ照明器具１に電気を供給して、連続して点灯させることができる。さらに、直管形ＬＥＤ照明器具１の電源ケーブル６６を地面に這わせる必要がないため、電源ケーブル６６の劣化を防ぐことが可能である。
【００２８】
また、図１に示すように、本実施の形態に係る直管形ＬＥＤ照明器具１には、ＬＥＤ素子２２のスイッチ３１が設けられている。上述のように、各ＬＥＤ素子２２は、電源コンセント７０とは並列の関係で電源差込プラグ６０に電気的に接続されているため、スイッチ３１をオフの状態にして、ＬＥＤ素子２２を消灯させたとしても、電源差込プラグ６０と電源コンセント７０とを電気的に接続した状態を維持することができる。たとえば、図５に示すように、直管形ＬＥＤ照明器具１を長手方向に複数配列した場合であっても、消灯した状態の直管形ＬＥＤ照明器具１と点灯した状態の直管形ＬＥＤ照明器具１とを混同させた間引き消灯をすることが可能である。これにより、使用頻度が低い場所に配置する直管形ＬＥＤ照明器具１だけを消灯させることが可能となり、効果的に節電を行うことができる。
【００２９】
なお、本実施の形態において、長尺状支持体１０は、六角形の横断面形状を有する角柱である場合について述べたが、これに限らず、長尺状支持体１０が、断面正ｎ角形状（ｎは３以上の正数）、正ｎ面体形状（ｎは４以上の正数）、任意の多面体形状、または、円形状であってもよい。また、この場合において、上記ＬＥＤ素子は独立部材として量産可能であることから、適用するＬＥＤ素子の数を、長尺状支持体１０の形状や寸法、または用途に基づいて適宜増減させることが容易に可能である。
【００３０】
また、本実施の形態において、ＬＥＤ素子２２は、面材２１に配列されているとして説明したが、長尺状支持体１０の外壁面１１に直接取り付けられていてもよい。
【００３１】
また、本実施の形態において、スイッチ３１は、左キャップ３０に取り付けられているとしたが、これに限らず、右キャップ４０に取り付けられていてもよい。
【００３２】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００３３】
本考案は、全方位に光照射が可能な高輝度の直管形ＬＥＤ照明器具を提供するものであるため、照明器具の製造業において有利に利用される。
【符号の説明】
【００３４】
１  直管形ＬＥＤ照明器具、１０  長尺状支持体、１１  外壁面、１２  挟持部、２１  面材、２２  ＬＥＤ素子、２３  回路基板、３０  左キャップ、３１  スイッチ、３２，４２  取付部、４０  右キャップ、４１  コンセントカバー、５０  透光性筒体、６０  電源差込プラグ、６１  プラグ本体、６２  アース端子コード、６３  ホルダ、６４  電源端子刃、６５  アースピン、６６  電源ケーブル、７０  電源コンセント、１００  壁、１０１  コンセント、１０２  フック。
【図１】
0003215150.tif 000003
【図２】
0003215150.tif 000004
【図３】
0003215150.tif 000005
【図４】
0003215150.tif 000006
【図５】
0003215150.tif 000007